(57)【要約】  【課題】  光ディスクの再生中における必要最低限以外のキーをユーザが指定し、そのキー入力を禁止することができる光ディスク再生装置を提供する。  【解決手段】  セットアップにてリモコン画像２１ａがディスプレイ画面２００に表示される。リモコン画像２１ａにおいて、予め装置側または光ディスク側でキー操作の禁止設定が不可とされているキー以外のキーを、光ディスクの再生中においてはキー入力が禁止されるキーの部分を例えば赤色で、光ディスクの再生中においてはキー入力を禁止したいキーをユーザにより選択して指定し該指定されたキーの部分を例えば青色で、禁止設定が不可とされているキーの部分は例えば緑色で表示される。このようにキーを色分け表示することにより、必要最低限以外のキーで、ユーザが禁止したいキーを指定して設定でき、これにより、光ディスクの再生中に不意に意思に反するキー入力が行われることを防止できる。【選択図】      図２
2005317089.tif 000002
【特許請求の範囲】
【請求項１】
リモコンにより操作可能で、光ディスクに記録された情報を再生する光ディスク再生装
置において、セットアップにて前記リモコンの画像をディスプレイ装置に表示させるリモ
コン画像表示手段と、予め装置側または光ディスク側でキー操作の禁止設定が不可とされ
ているキー以外のキーを再生中においてはキー入力が禁止されるキーを示す禁止キー情報
を格納する禁止キー情報格納手段と、光ディスクの再生中においてはキー入力を禁止した
いキーをユーザにより指定し該指定されたキーを示すユーザ指定禁止キー情報を格納する
ユーザ指定禁止キー情報格納手段と、前記禁止キー情報と前記ユーザ指定禁止キー情報と
前記禁止設定不可のキー情報とを区別するための異なる色情報を格納する色情報格納手段
と、キー入力を受けたとき当該キー入力が禁止されているか否かを前記禁止キー情報格納
手段の禁止キー情報および／または前記ユーザ指定禁止キー情報格手段のユーザ指定禁止
キー情報の有無により判定する禁止判定手段と、該禁止判定手段により当該キーが禁止さ
れていると判定された場合に当該キーは装置側または光ディスク側で禁止されているかユ
ーザ側で禁止されているかを前記禁止キー情報および前記ユーザ指定禁止キー情報に基づ
いて判定する禁止側判定手段と、該禁止側判定手段の判定結果が装置側または光ディスク
側を示す場合は前記色情報格納手段から禁止キー情報に対応する色情報を読み出し該色情
報の示す色の通常禁止マークを前記ディスプレイ装置に表示されたリモコン画像の該当キ
ーの部分に表示させると共に、前記禁止側判定手段の判定結果がユーザ側の禁止を示す場
合は前記色情報格納手段からユーザ指定禁止キー情報に対応する色情報を読み出し該色情
報の示す色のユーザ指定禁止マークを前記ディスプレイ装置に表示されたリモコン画像の
該当キーの部分に表示させ、前記装置側または光ディスク側の禁止キーとユーザ側の禁止
キーとが同じである場合は前記通常禁止マークを前記ディスプレイ装置に表示されたリモ
コン画像の該当キーの部分に表示させ、また、前記色情報格納手段から禁止設定不可のキ
ー情報に対応する色情報を読み出し該色情報の示す色の禁止設定不可マークを前記ディス
プレイ装置に表示されたリモコン画像の該当キーの部分に表示させる色マーク表示手段と
を有するシステムコントローラを備えたことを特徴とする光ディスク再生装置。
【請求項２】
リモコンにより操作可能で、光ディスクに記録された情報を再生する光ディスク再生装
置において、セットアップにて前記リモコンの画像をディスプレイ装置に表示させ、、予
め装置側または光ディスク側でキー操作の禁止設定が不可とされているキー以外のキーを
再生中においてはキー入力が禁止されるキーを示す禁止キー情報と、光ディスクの再生中
においてはキー入力を禁止したいキーをユーザにより指定し該指定されたキーを示すユー
ザ指定禁止キー情報と、前記禁止設定不可のキー情報とを、それぞれ区別するための異な
る色情報を格納し、該色情報に従った色のマークを前記ディスプレイ装置に表示されたリ
モコン画像の該当キーの部分に表示させる制御を行うシステムコントローラを備えたこと
を特徴とする光ディスク再生装置。
【請求項３】
前記システムコントローラは、セットアップにて前記リモコンの画像をディスプレイ装
置に表示させるリモコン画像表示手段と、予め装置側または光ディスク側でキー操作の禁
止設定が不可とされているキー以外のキーを再生中においてはキー入力が禁止されるキー
を示す禁止キー情報を格納する禁止キー情報格納手段と、光ディスクの再生中においては
キー入力を禁止したいキーをユーザにより指定し該指定されたキーを示すユーザ指定禁止
キー情報を格納するユーザ指定禁止キー情報格納手段と、前記禁止キー情報と前記ユーザ
指定禁止キー情報と前記禁止設定不可のキー情報とを区別するための異なる色情報を格納
する色情報格納手段とを有することを特徴とする請求項２に記載の光ディスク再生装置。
【請求項４】
前記システムコントローラは、キー入力を受けたとき当該キー入力が禁止されているか
否かを前記禁止キー情報格納手段の禁止キー情報および／または前記ユーザ指定禁止キー
情報格手段のユーザ指定禁止キー情報の有無により判定する禁止判定手段と、該禁止判定
手段により当該キーが禁止されていると判定された場合に当該キーは装置側または光ディ
スク側で禁止されているかユーザ側で禁止されているかを前記禁止キー情報および前記ユ
ーザ指定禁止キー情報に基づいて判定する禁止側判定手段と、該禁止側判定手段の判定結
果が装置側または光ディスク側を示す場合は、前記色情報格納手段から禁止キー情報に対
応する色情報を読み出し、該色情報の示す色の通常禁止マークを前記ディスプレイ装置に
表示されたリモコン画像の該当キーの部分に表示させると共に、前記禁止側判定手段の判
定結果がユーザ側の禁止を示す場合は、前記色情報格納手段からユーザ指定禁止キー情報
に対応する色情報を読み出し、該色情報の示す色のユーザ指定禁止マークを前記ディスプ
レイ装置に表示されたリモコン画像の該当キーの部分に表示させ、前記装置側または光デ
ィスク側の禁止キーとユーザ側の禁止キーとが同じである場合は、前記通常禁止マークを
前記ディスプレイ装置に表示されたリモコン画像の該当キーの部分に表示させ、また、前
記色情報格納手段から禁止設定不可のキー情報に対応する色情報を読み出し該色情報の示
す色の禁止設定不可マークを前記ディスプレイ装置に表示されたリモコン画像の該当キー
の部分に表示させる色マーク表示手段とを有するシステムコントローラを備えたことを特
徴とする請求項３に記載の光ディスク再生装置。
【発明の詳細な説明】
【技術分野】
【０００１】
本発明は、リモコンにより操作可能で、光ディスクに記録された情報を再生する光ディ
スク再生装置に関する。
【背景技術】
【０００２】
近年、映像や音声などの情報を記録したＤＶＤ（デジタル・バーサタイル・ディスク）
などの光ディスクを再生する光ディスク再生装置が普及している。このような光ディスク
再生装置に対する操作は、装置本体の前面パネルに設けられたキー操作部またはリモコン
によって行われるようになっているが、殆どのユーザはリモコンを操作しているのが現状
である。
【０００３】
リモコンに備えられているキーの種類としては、例えば、装置の電源をオン／オフさせ
るための電源キー、ディスクトレイを開閉させるための開閉キー、装填された光ディスク
に対する再生動作を行わせるための再生キー、再生動作やスキップ動作などを停止させる
ための停止キー、再生動作を一時的に停止させるための一時停止キー、セットアップさせ
るためのセットアップキー、情報を画面表示させるための画面表示キー、メニューを表示
させるためのメニューキー、スキップアップ（早送り）およびスキップダウン（早戻し）
させるためのスキップキー、入力した操作情報を決定するためのエンターキー、入力した
操作情報を取り消すための取消しキー、数字を入力するためのテンキーなどがある。
【特許文献１】特開平１１−２３８３６７号公報
【特許文献２】特開２００２−２７８６８７号公報
【特許文献３】特開２００２−５０１０６号公報
【発明の開示】
【発明が解決しようとする課題】
【０００４】
ところで、一般家庭においては、リモコンが適当に置かれていることが多く、再生中に
おいてユーザが知らない間にリモコンのキーが触れられて、ユーザが予想していないキー
が操作され、光ディスク再生装置はユーザの意図していない動作状態になる場合がある。
これは、装置自体や光ディスク自体が禁止しているキー以外はキー入力を受け付けてしま
うため、ユーザや他の人の何気ない動作によるキー入力や、意図せずにキーが物に当たる
ことで、光ディスク再生装置は思わぬ動作が行われることがある。しかしながら、このよ
うな従来の光ディスク再生装置では、ユーザが再生中において禁止したいキーをユーザが
指定することができないので、装置自体や光ディスク自体が禁止しているキー以外はキー
入力を受け付けてしまい、思わぬ動作が行われることがあるという課題が生じる。
【０００５】
なお、特許文献１の従来技術では、種々な操作キーのうち、その時点で操作可能なキー
をユーザに通知できるようにしているが、再生中において禁止したいキーをユーザが指定
することができないので、上記のような課題を解決することができない。
【０００６】
特許文献２の従来技術では、各種装置におけるサイクリックキーやリモコンのストップ
キー等による機能の選択時における不便さ等を解消しているが、この従来技術も、再生中
において禁止したいキーをユーザが指定することができないので、上記のような課題を解
決することができない。
【０００７】
特許文献３の従来技術では、各種動作の指令を与えるための操作キーのロック解除を必
要に応じて手動で行うことができると共に、シンクロ記録の設定の場合には、所定の動作
に関連付けて自動的に解除することによって、使い勝手の良いキーロック設定を行うよう
にしているが、この従来技術も、再生中において禁止したいキーをユーザが指定すること
ができないので、上記のような課題を解決することができない。
【０００８】
本発明は、上記のような課題を解決するためになされたもので、光ディスクの再生中に
おける必要最低限以外のキーをユーザが指定し、そのキー入力を禁止することができる光
ディスク再生装置を提供することを目的とする。
【課題を解決するための手段】
【０００９】
上記目的を達成するために、請求項１の発明は、リモコンにより操作可能で、光ディス
クに記録された情報を再生する光ディスク再生装置において、セットアップにて前記リモ
コンの画像をディスプレイ装置に表示させるリモコン画像表示手段と、予め装置側または
光ディスク側でキー操作の禁止設定が不可とされているキー以外のキーを再生中において
はキー入力が禁止されるキーを示す禁止キー情報を格納する禁止キー情報格納手段と、光
ディスクの再生中においてはキー入力を禁止したいキーをユーザにより指定し該指定され
たキーを示すユーザ指定禁止キー情報を格納するユーザ指定禁止キー情報格納手段と、前
記禁止キー情報と前記ユーザ指定禁止キー情報と前記禁止設定不可のキー情報とを区別す
るための異なる色情報を格納する色情報格納手段と、キー入力を受けたとき当該キー入力
が禁止されているか否かを前記禁止キー情報格納手段の禁止キー情報および／または前記
ユーザ指定禁止キー情報格手段のユーザ指定禁止キー情報の有無により判定する禁止判定
手段と、該禁止判定手段により当該キーが禁止されていると判定された場合に当該キーは
装置側または光ディスク側で禁止されているかユーザ側で禁止されているかを前記禁止キ
ー情報および前記ユーザ指定禁止キー情報に基づいて判定する禁止側判定手段と、該禁止
側判定手段の判定結果が装置側または光ディスク側を示す場合は前記色情報格納手段から
禁止キー情報に対応する色情報を読み出し該色情報の示す色の通常禁止マークを前記ディ
スプレイ装置に表示されたリモコン画像の該当キーの部分に表示させると共に、前記禁止
側判定手段の判定結果がユーザ側の禁止を示す場合は前記色情報格納手段からユーザ指定
禁止キー情報に対応する色情報を読み出し該色情報の示す色のユーザ指定禁止マークを前
記ディスプレイ装置に表示されたリモコン画像の該当キーの部分に表示させ、前記装置側
または光ディスク側の禁止キーとユーザ側の禁止キーとが同じである場合は前記通常禁止
マークを前記ディスプレイ装置に表示されたリモコン画像の該当キーの部分に表示させ、
また、前記色情報格納手段から禁止設定不可のキー情報に対応する色情報を読み出し該色
情報の示す色の禁止設定不可マークを前記ディスプレイ装置に表示されたリモコン画像の
該当キーの部分に表示させる色マーク表示手段とを有するシステムコントローラを備えた
ことを特徴とする光ディスク再生装置を提供する。
【００１０】
この構成において、セットアップにてリモコンの画像がリモコン画像表示手段によりデ
ィスプレイ装置に表示される。予め装置側または光ディスク側でキー操作の禁止設定が不
可とされているキー以外のキーを再生中においてはキー入力が禁止されるキーを示す禁止
キー情報は、禁止キー情報格納手段に格納される。同じく光ディスクの再生中においては
キー入力を禁止したいキーをユーザにより指定し該指定されたキーを示すユーザ指定禁止
キー情報は、ユーザ指定禁止キー情報格納手段に格納される。そして、前記禁止キー情報
と前記ユーザ指定禁止キー情報と前記禁止設定不可のキー情報とを区別するための異なる
色情報は、色情報格納手段に格納される。
【００１１】
そして、キー入力を受けると、前記禁止キー情報格納手段の禁止キー情報および／また
は前記ユーザ指定禁止キー情報格手段のユーザ指定禁止キー情報の有無により、当該キー
入力が禁止されているか否かが禁止判定手段により判定される。禁止キー情報および／ま
たはユーザ指定禁止キー情報により当該キーが禁止されていると判定された場合に、当該
キーは装置側または光ディスク側で禁止されているか、ユーザ側で禁止されているかが、
前記禁止キー情報および前記ユーザ指定禁止キー情報に基づいて禁止側判定手段により判
定される。
【００１２】
この後、色マーク表示手段は、次のような処理を行う。即ち、該禁止側判定手段の判定
結果が装置側または光ディスク側を示す場合は、前記色情報格納手段から禁止キー情報に
対応する色情報を読み出し、該色情報の示す色の通常禁止マークを前記ディスプレイ装置
に表示されたリモコン画像の該当キーの部分に表示させる。また、前記禁止側判定手段の
判定結果がユーザ側の禁止を示す場合は、前記色情報格納手段からユーザ指定禁止キー情
報に対応する色情報を読み出し該色情報の示す色のユーザ指定禁止マークを前記ディスプ
レイ装置に表示されたリモコン画像の該当キーの部分に表示させる。前記装置側または光
ディスク側の禁止キーとユーザ側の禁止キーとが同じである場合は、前記通常禁止マーク
を前記ディスプレイ装置に表示されたリモコン画像の該当キーの部分に表示させる。また
、前記色情報格納手段から禁止設定不可のキー情報に対応する色情報を読み出し該色情報
の示す色の禁止設定不可マークを前記ディスプレイ装置に表示されたリモコン画像の該当
キーの部分に表示させる。
【００１３】
この構成によれば、禁止キー情報とユーザ指定禁止キー情報と禁止設定不可キー情報と
にそれぞれ対応する色をマークとしてディスプレイ装置に表示されたリモコン画像の該当
キーの部分に表示させることが可能になり、光ディスクの再生中における必要最低限以外
のキーをユーザが指定し、そのキー入力を禁止することができ、これにより、光ディスク
の再生中に不意にキー入力が行われることを防止でき、したがって、意思に反して再生画
像の早送りが行われたり、今再生している画像とは関係ない画像のディスプレイ表示が行
われたりするのを防止することができる。また、このようにキーを色分け表示することに
より、禁止したいキーと禁止してはいけないキーが直ぐ分り、禁止キーの設定作業が容易
となる。
【００１４】
請求項２の発明は、セットアップにて前記リモコンの画像をディスプレイ装置に表示さ
せ、予め装置側または光ディスク側でキー操作の禁止設定が不可とされているキー以外の
キーを再生中においてはキー入力が禁止されるキーを示す禁止キー情報と、光ディスクの
再生中においてはキー入力を禁止したいキーをユーザにより指定し該指定されたキーを示
すユーザ指定禁止キー情報と、前記禁止設定不可のキー情報とをそれぞれ区別するための
異なる色情報を格納し、該色情報に従った色のマークを前記ディスプレイ装置に表示され
たリモコン画像の該当キーの部分に表示させる制御を行うシステムコントローラを備えた
ことを特徴とする光ディスク再生装置を提供する。
【００１５】
この構成において、セットアップにてリモコンの画像がディスプレイ装置に表示される
。予め装置側または光ディスク側でキー操作の禁止設定が不可とされているキー以外のキ
ーを再生中においてはキー入力が禁止されるキーを示す禁止キー情報と、光ディスクの再
生中においてはキー入力を禁止したいキーをユーザにより指定し該指定されたキーを示す
ユーザ指定禁止キー情報と、前記禁止設定不可のキー情報とをそれぞれ区別するための異
なる色情報が格納される。該色情報に従った色のマークは、ディスプレイ装置に表示され
たリモコン画像の該当キーの部分に表示される。
【００１６】
この構成によれば、光ディスクの再生中における必要最低限以外のキーをユーザが指定
し、そのキー入力を禁止することができるので、光ディスクの再生中に不意にキー入力が
行われることを防止でき、これにより、意思に反して再生画像の早送りが行われたり、今
再生している画像とは関係ない画像のディスプレイ表示が行われたりするのを防止するこ
とができる。
【００１７】
請求項３の発明では、請求項２の発明において、前記システムコントローラは、セット
アップにて前記リモコンの画像をディスプレイ装置に表示させるリモコン画像表示手段と
、予め装置側または光ディスク側でキー操作の禁止設定が不可とされているキー以外のキ
ーを再生中においてはキー入力が禁止されるキーを示す禁止キー情報を格納する禁止キー
情報格納手段と、光ディスクの再生中においてはキー入力を禁止したいキーをユーザによ
り指定し該指定されたキーを示すユーザ指定禁止キー情報を格納するユーザ指定禁止キー
情報格納手段と、前記禁止キー情報と前記ユーザ指定禁止キー情報と前記禁止設定不可の
キー情報とを区別するための異なる色情報を格納する色情報格納手段とを有するので、前
記禁止キー情報と前記ユーザ指定禁止キー情報と前記禁止設定不可のキー情報とは、それ
ぞれ異なる色で表示することが可能になり、ユーザにとってはリモコン上のキーが再生中
においてはどのような状態になるかを一目で見ることができる。
【００１８】
請求項４の発明では、請求項３の発明において、システムコントローラは、キー入力を
受けたとき当該キー入力が禁止されているか否かを禁止キー情報格納手段の禁止キー情報
および／またはユーザ指定禁止キー情報格手段のユーザ指定禁止キー情報の有無により判
定する禁止判定手段と、該禁止判定手段により当該キーが禁止されていると判定された場
合に当該キーは装置側または光ディスク側で禁止されているかユーザ側で禁止されている
かを前記禁止キー情報および前記ユーザ指定禁止キー情報に基づいて判定する禁止側判定
手段と、該禁止側判定手段の判定結果が装置側または光ディスク側を示す場合は色情報格
納手段から禁止キー情報に対応する色情報を読み出し該色情報の示す色の通常禁止マーク
をディスプレイ装置に表示されたリモコン画像の該当キーの部分に表示させると共に、禁
止側判定手段の判定結果がユーザ側の禁止を示す場合は色情報格納手段からユーザ指定禁
止キー情報に対応する色情報を読み出し該色情報の示す色のユーザ指定禁止マークをディ
スプレイ装置に表示されたリモコン画像の該当キーの部分に表示させ、装置側または光デ
ィスク側の禁止キーとユーザ側の禁止キーとが同じである場合は前記通常禁止マークをデ
ィスプレイ装置に表示されたリモコン画像の該当キーの部分に表示させ、また、色情報格
納手段から禁止設定不可のキー情報に対応する色情報を読み出し該色情報の示す色の禁止
設定不可マークをディスプレイ装置に表示されたリモコン画像の該当キーの部分に表示さ
せる色マーク表示手段とを有するので、禁止キー情報とユーザ指定禁止キー情報と禁止設
定不可キー情報とにそれぞれ対応する色をマークとしてディスプレイ装置に表示されたリ
モコン画像の該当キーの部分に表示させることが可能になる。
【発明の効果】
【００１９】
以上のように本発明によれば、セットアップにてリモコンの画像をディスプレイ装置に
表示させるリモコン画像表示手段と、予め装置側または光ディスク側でキー操作の禁止設
定が不可とされているキー以外のキーを再生中においてはキー入力が禁止されるキーを示
す禁止キー情報を格納する禁止キー情報格納手段と、光ディスクの再生中においてはキー
入力を禁止したいキーをユーザにより指定し該指定されたキーを示すユーザ指定禁止キー
情報を格納するユーザ指定禁止キー情報格納手段と、前記禁止キー情報と前記ユーザ指定
禁止キー情報と前記禁止設定不可のキー情報とを区別するための異なる色情報を格納する
色情報格納手段と、キー入力を受けたとき当該キー入力が禁止されているか否かを前記禁
止キー情報格納手段の禁止キー情報および／または前記ユーザ指定禁止キー情報格手段の
ユーザ指定禁止キー情報の有無により判定する禁止判定手段と、該禁止判定手段により当
該キーが禁止されていると判定された場合に当該キーは装置側または光ディスク側で禁止
されているかユーザ側で禁止されているかを前記禁止キー情報および前記ユーザ指定禁止
キー情報に基づいて判定する禁止側判定手段と、該禁止側判定手段の判定結果が装置側ま
たは光ディスク側を示す場合は前記色情報格納手段から禁止キー情報に対応する色情報を
読み出し該色情報の示す色の通常禁止マークを前記ディスプレイ装置に表示されたリモコ
ン画像の該当キーの部分に表示させると共に、前記禁止側判定手段の判定結果がユーザ側
の禁止を示す場合は前記色情報格納手段からユーザ指定禁止キー情報に対応する色情報を
読み出し該色情報の示す色のユーザ指定禁止マークを前記ディスプレイ装置に表示された
リモコン画像の該当キーの部分に表示させ、前記装置側または光ディスク側の禁止キーと
ユーザ側の禁止キーとが同じである場合は前記通常禁止マークを前記ディスプレイ装置に
表示されたリモコン画像の該当キーの部分に表示させ、また、前記色情報格納手段から禁
止設定不可のキー情報に対応する色情報を読み出し該色情報の示す色の禁止設定不可マー
クを前記ディスプレイ装置に表示されたリモコン画像の該当キーの部分に表示させる色マ
ーク表示手段とを有するシステムコントローラを備えたので、禁止キー情報とユーザ指定
禁止キー情報と禁止設定不可キー情報とにそれぞれ対応する色をマークとして前記ディス
プレイ装置に表示されたリモコン画像の該当キーの部分に表示させることが可能になり、
光ディスクの再生中における必要最低限以外のキーをユーザが指定し、そのキー入力を禁
止することができ、これにより、光ディスクの再生中に不意にキー入力が行われることを
防止でき、したがって、意思に反して再生画像の早送りが行われたり、今再生している画
像とは関係ない画像のディスプレイ表示が行われたりするのを防止することができる。ま
た、このようにキーを色分け表示することにより、禁止したいキーと禁止してはいけない
キーが直ぐ分り、禁止キーの設定作業が容易となる。
【００２０】
また、本発明によれば、セットアップにてリモコンの画像をディスプレイ装置に表示さ
せ、予め装置側または光ディスク側でキー操作の禁止設定が不可とされているキー以外の
キーを再生中においてはキー入力が禁止されるキーを示す禁止キー情報と、光ディスクの
再生中においてはキー入力を禁止したいキーをユーザにより指定し該指定されたキーを示
すユーザ指定禁止キー情報と、前記禁止設定不可のキー情報とをそれぞれ区別するための
異なる色情報を格納し、該色情報に従った色のマークを前記ディスプレイ装置に表示され
たリモコン画像の該当キーの部分に表示させる制御を行うシステムコントローラを備えた
ので、禁止キー情報とユーザ指定禁止キー情報とにそれぞれ対応する色をマークとして前
記ディスプレイ装置に表示されたリモコン画像の該当キーの部分に表示させることが可能
になり、光ディスクの再生中における必要最低限以外のキーをユーザが指定し、そのキー
入力を禁止することができ、これにより、光ディスクの再生中に不意にキー入力が行われ
ることを防止でき、したがって、意思に反して再生画像の早送りが行われたり、今再生し
ている画像とは関係ない画像のディスプレイ表示が行われたりするのを防止することがで
きる。
【発明を実施するための最良の形態】
【００２１】
以下、添付図面を参照しつつ、本発明の実施の形態について説明する。図１は本発明の
一実施形態に係る光ディスク再生装置の構成を示すブロック図である。この光ディスク再
生装置は、光ディスク１を回転させるスピンドルモータ５と、光ディスク１に記録された
情報を再生するためのレーザ光を出射すると共に光ディスク１からの反射光を受光する光
ピックアップ２と、この光ピックアップ２を光ディスク１の半径方向に移動させるための
スレッド３と、システムコントローラ２２の指示に応じてスピンドルモータ５およびスレ
ッド３を駆動すると共に光ピックアップ２に内蔵された対物レンズ（図示せず）を動かす
ことによりレーザ光の焦点位置を光ディスク１の記録面に対して垂直方向および水平方向
に移動させる制御を行うサーボ制御部４とを備えている。
【００２２】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理と誤り訂正処理を行って生成したデータをＲＡＭ７に格納するデジタル信号処理部
８と、システムコントローラ２２の指示に応じてデジタル信号処理部８から出力されたデ
ータストリームの中からオーディオデータとサブピクチャデータとビデオデータとを分離
するストリーム分離部９とを備えている。
【００２３】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたサブピクチャデータを入力して所定のデコード処理を行うサ
ブピクチャデコーダ１３と、このサブピクチャデコーダ１３でのデコード処理を行うため
にデータを一時的に格納するＲＡＭ１２と、ストリーム分離部９から出力されたビデオデ
ータを入力して所定のデコード処理を行うビデオデコーダ１５と、このビデオデコーダ１
５でのデコード処理を行うためにデータを一時的に格納するＲＡＭ１４とを備えている。
【００２４】
また、この光ディスク再生装置は、システムコントローラ２２の指示に応じてビデオデ
コーダ１５から出力されたデータとサブピクチャデコーダ１３から出力されたデータとを
合成するビデオプロセッサ１７と、このビデオプロセッサ１７から出力された合成データ
を表示用のビデオ信号に変換して画像をディスプレイ装置２０に表示させるビデオエンコ
ーダ１８と、オーディオデコーダ１１から出力されたデータをアナログのオーディオ信号
に変換して例えばスピーカ１９に供給するＤ／Ａ変換器１６とを備えている。
【００２５】
また、この光ディスク再生装置は、システムコントローラ２２に対して、再生指示を与
えるための再生キーや、再生停止を指示するための停止キーなどの各種操作キーを有する
リモコン２１と、装置全体を制御する前記システムコントローラ２２とを備えている。
【００２６】
また、この光ディスク再生装置は、装置の各構成要素を制御したり、装置全体を制御し
たりするためのプログラムやデータが記憶されたフラッシュＲＯＭ２３と、このフラッシ
ュＲＯＭ２３のプログラムやデータに従って演算処理を行いシステムコントローラ２２を
制御するＣＰＵ２４とを備えている。
【００２７】
システムコントローラ２２は、本実施形態の特徴とする構成要素として、セットアップ
にてリモコン２１の画像をディスプレイ装置２０に表示させるリモコン画像表示手段２２
１と、予め装置側または光ディスク側でキー操作の禁止設定が不可とされているキー以外
のキーを再生中においてはキー入力が禁止されるキーを示す禁止キー情報を格納する禁止
キー情報格納手段２２２と、光ディスクの再生中においてはキー入力を禁止したいキーを
ユーザにより指定し該指定されたキーを示すユーザ指定禁止キー情報を格納するユーザ指
定禁止キー情報格納手段２２３と、前記禁止キー情報と前記ユーザ指定禁止キー情報と前
記禁止設定不可のキー情報とを区別するための異なる色情報を格納する色情報格納手段２
２４とを有する。
【００２８】
また、システムコントローラ２２は、キー入力を受けたとき当該キー入力が禁止されて
いるか否かを禁止キー情報格納手段２２２の禁止キー情報および／またはユーザ指定禁止
キー情報格手段２２３のユーザ指定禁止キー情報の有無により判定する禁止判定手段２２
５と、該禁止判定手段２２５により当該キーが禁止されていると判定された場合に当該キ
ーは装置側または光ディスク側で禁止されているかユーザ側で禁止されているかを前記禁
止キー情報および前記ユーザ指定禁止キー情報に基づいて判定する禁止側判定手段２２６
とを有する。光ディスク側で禁止されているキー情報は、光ディスクのリードインエリア
内の制御情報に含まれている。
【００２９】
更に、システムコントローラ２２は、禁止側判定手段２２６の判定結果が装置側または
光ディスク側を示す場合は、色情報格納手段２２４から禁止キー情報に対応する色情報を
読み出し、該色情報の示す色の通常禁止マークをディスプレイ装置２０に表示されたリモ
コン画像の該当キーの部分に表示させると共に、禁止側判定手段２２６の判定結果がユー
ザ側の禁止を示す場合は、色情報格納手段２２４からユーザ指定禁止キー情報に対応する
色情報を読み出し、該色情報の示す色のユーザ指定禁止マークをディスプレイ装置２０に
表示させ、装置側または光ディスク側の禁止キーとユーザ側の禁止キーとが同じである場
合は、前記通常禁止マークをディスプレイ装置２０に表示されたリモコン画像の該当キー
の部分に表示させ、また、色情報格納手段２２４から禁止設定不可のキー情報に対応する
色情報を読み出し、該色情報の示す色の禁止設定不可マークをディスプレイ装置２０に表
示されたリモコン画像の該当キーの部分に表示させる色マーク表示手段２２７とを有する
。
【００３０】
図２は本実施形態においてリモコン画像２１ａなどが表示されたディスプレイ装置２０
のディスプレイ画面２００の一例を示す図である。
【００３１】
図２において、リモコン画像２１ａはリモコン２１の操作面を示し、この操作面には、
電源キー３１、ディスクトレイの開閉を行うための開閉キー３２、画面表示を行うための
画面表示キー３３、メニュー表示を行うためのメニューキー３４、セットアップを行うた
めのセットアップキー３５、操作した内容を決定するためのエンターキー３６、音量調整
を行うための音量キー３７，３８、再生動作などを停止させるための停止キー３９、再生
動作などを一時停止させるための一時停止キー４０、再生を開始させるための再生キー４
１、スキップのアップ（早送り）・ダウン（早戻し）を行わせるためのスキップキー４２
，４３、数値を入力するためのテンキー４４、および入力の取消しを行うための取消しキ
ー４５を示すリモコン画像２１ａが表示されている。なお、リモコン２１におけるキーの
種類やキーの配置は、図２に示すようなものに限ることはない。
【００３２】
また、ディスプレイ画面２００における領域２０１には、再生中においての現在選択さ
れているキー名、例えば、「スキップキー」「一時停止キー」が表示されている。また、
ディスプレイ画面２００における領域２０２には、禁止の設定が不可となるキー名、例え
ば、「電源キー」「開閉キー」「再生キー」「停止キー」「セットアップキー」が表示さ
れている。
【００３３】
図３は本実施形態においてシステムコントローラ２２の色情報格納手段２２４に格納さ
れる色情報テーブル２２４ａの内容の一例を示す図である。
【００３４】
図３において、色情報テーブル２２４ａには、予め装置側または光ディスク側でキー操
作の禁止設定が不可とされているキー以外のキーを再生中においてはキー入力が禁止され
るキーを示す禁止キー情報、光ディスクの再生中においてはキー入力を禁止したいキーを
ユーザにより指定し該指定されたキーを示すユーザ指定禁止キー情報、装置側で禁止設定
不可のキー情報、前記禁止キー情報に対応する赤色情報、前記ユーザ指定禁止キー情報に
対応する青色情報、および前記禁止設定不可キー情報に対応する緑色情報が格納されてい
る。なお、色は赤、青、緑に限ることはない。この例の場合、エンターキーとスキップキ
ーは禁止キー情報とし、スキップキーと一時停止キーはユーザ指定禁止キー情報とし、電
源キーと開閉キーと再生キーと停止キーとセットアップキーは禁止設定不可キー情報とし
て設定されている。
【００３５】
したがって、図２に示すリモコン画像２１ａにおいて、選択されたキーの部分に色を付
けるとき、カーソルでキーを選択し、これにより、その選択されたキーの部分がハイライ
ト表示され、ここでリモコン２１のエンターキーを押下すると、選択されたキーの部分が
該当する色に色付けされる。
【００３６】
このような色付けにより、エンターキー３６とスキップキー４２，４３の部分は赤色、
一時停止キー４０の部分は青色、電源キー３１と開閉キー３２と再生キー４１と停止キー
３９とセットアップキー３５の部分は緑色に表示される。なお、ユーザ指定禁止キー情報
に含まれるスキップキーは、禁止キー情報に含まれるスキップキーの方を優先するので、
スキップキー４２，４３の部分は赤色を表示することになる。
【００３７】
図４は本実施形態において再生中におけるキーの禁止に対する処理を説明するためのフ
ローチャートである。このフローチャートおよび図１〜図３を参照して再生中におけるキ
ーの禁止に対する処理を説明する。
【００３８】
再生中において、ユーザがリモコン２１のセットアップキーを押下すると、リモコン２
１の画像２１ａがリモコン画像表示手段２２１によりディスプレイ装置２０に表示される
。予め装置側または光ディスク側でキー操作の禁止設定が不可とされているキー以外のキ
ーを再生中においてはキー入力が禁止されるキーを示す禁止キー情報は禁止キー情報格納
手段２２２に格納される。光ディスクの再生中においてはキー入力を禁止したいキーをユ
ーザにより選択して指定し、該指定されたキーを示すユーザ指定禁止キー情報がユーザ指
定禁止キー情報格納手段２２３に格納される。そして、前記禁止キー情報と前記ユーザ指
定禁止キー情報と前記禁止設定不可のキー情報とを区別するための異なる色情報は、色情
報格納手段２２４に格納される。
【００３９】
そして、キー入力を受けると（ステップＳ１）、禁止キー情報格納手段２２２の禁止キ
ー情報および／またはユーザ指定禁止キー情報格手段２２３のユーザ指定禁止キー情報の
有無により、当該キー入力が禁止されているか否かが禁止判定手段２２５により判定され
る（ステップＳ２）。禁止キー情報および／またはユーザ指定禁止キー情報が無いことに
より当該キーが禁止されていないと判定された場合は（ステップＳ２）、押下されたキー
の操作内容に応じた通常処理に移り（ステップＳ３）、この通常処理が終了すと（ステッ
プＳ４）、本処理は終える。
【００４０】
一方、禁止キー情報および／またはユーザ指定禁止キー情報が有ることにより当該キー
が禁止されていると判定された場合に（ステップＳ２）、当該キーは装置側または光ディ
スク側で禁止されているか、それともユーザ側で禁止されているかが、前記禁止キー情報
および前記ユーザ指定禁止キー情報に基づいて禁止側判定手段２２６により判定される（
ステップＳ５，Ｓ６）。
【００４１】
この後、色マーク表示手段２２７は、次のような処理を行う。即ち、禁止側判定手段２
２６の判定結果が装置側または光ディスク側を示す場合は、色情報格納手段２２４から禁
止キー情報に対応する色情報を読み出し（ステップＳ１０）、該色情報の示す色の通常禁
止マークをディスプレイ装置２０に表示されたリモコン画像２１ａの該当キーの部分に表
示させる（ステップＳ１１）。
【００４２】
禁止側判定手段２２６の判定結果がユーザ側の禁止を示す場合は（ステップＳ５，Ｓ６
）、色情報格納手段２２４からユーザ指定禁止キー情報に対応する色情報を読み出し（ス
テップＳ７）、該色情報の示す色のユーザ指定禁止マークをディスプレイ装置２０に表示
させる（ステップＳ８）。装置側または光ディスク側の禁止キーと、ユーザ側の禁止キー
とが、同じである場合は、通常禁止マークをディスプレイ装置２０に表示されたリモコン
画像２１ａの該当キーの部分に表示させる（ステップＳ１１）。
【００４３】
なお、色情報格納手段２２４から禁止設定不可のキー情報に対応する色情報を読み出し
、該色情報の示す色の禁止設定不可マークをディスプレイ装置２０に表示されたリモコン
画像２１ａの該当キーの部分に表示させることにより、禁止設定できないキーが分るので
、禁止キーを選択する場合の手間が軽減される。
【００４４】
当該色のユーザ指定禁止マークを表示した後（ステップＳ８）、または当該色の通常禁
止マークを表示した後（ステップＳ１１）、画面を切り換え、再生を続け（ステップＳ９
）、再生が終了すると（ステップＳ１２）、本処理は終える。
【００４５】
以上説明したように本実施形態によれば、禁止キー情報とユーザ指定禁止キー情報と禁
止設定不可キー情報とにそれぞれ対応する色をマークとしてディスプレイ装置２０に表示
されたリモコン画像２１ａの該当キーの部分に表示させることが可能になり、光ディスク
の再生中における必要最低限以外のキーをユーザが指定し、そのキー入力を禁止すること
ができ、これにより、光ディスクの再生中に不意にキー入力が行われることを防止でき、
したがって、意思に反して再生画像の早送りが行われたり、今再生している画像とは関係
ない画像のディスプレイ表示が行われたりするのを防止することができる。また、このよ
うにキーを色分け表示することにより、禁止したいキーと禁止してはいけないキーが直ぐ
分り、禁止キーの設定作業が容易となる。
【図面の簡単な説明】
【００４６】
【図１】本発明の一実施形態に係る光ディスク再生装置の構成を示すブロック図である。
【図２】前記実施形態においてリモコン画像などが表示されたディスプレイ装置のディスプレイ画面の一例を示す図である。
【図３】前記実施形態においてシステムコントローラの色情報格納手段に格納される色情報テーブルの内容の一例を示す図である。
【図４】前記実施形態において再生中におけるキーの禁止に対する処理を説明するためのフローチャートである。
【符号の説明】
【００４７】
１    光ディスク
２０    ディスプレイ装置
２１    リモコン
２１ａ    リモコン画像
２２    システムコントローラ
２２１    リモコン画像表示手段
２２２    禁止キー情報格納手段
２２３    ユーザ指定禁止キー情報格納手段
２２４    色情報格納手段
２２５    禁止判定手段
２２６    禁止側判定手段
２２７    色マーク表示手段
【図１】
2005317089.tif 000003
【図２】
2005317089.tif 000004
【図３】
2005317089.tif 000005
【図４】
2005317089.tif 000006